(57)【要約】【課題】視認性を損なうことなく、眩しさを低減した画面を表示することができる。【解決手段】表示面を有する透過型の表示部３４と、表示面を直接的又は間接的に背面から所定の光量で照射する照射部３５ａと、周囲の明るさを測定する光センサ部３７と、表示面に表示される画像を処理する画像処理部３８と、画像処理部３８により処理された画像の明度を補正する明度補正部３９と、モード選択部４０において第２のモードが選択されている場合には、光センサ部３７により測定される周囲の明るさに基づいて、第１のモードにおける光量よりも低く抑えられた光量で照射するように照射部３５ａを制御すると共に、画像の明度の度合いを光量に応じて補正するように明度補正部３９を制御する制御部４２とを有する。【選択図】図３
2011028183.tif 000002
【特許請求の範囲】
【請求項１】
表示面を有する透過型の表示部と、
前記表示面を直接的又は間接的に背面から所定の光量で照射する照射部と、
周囲の明るさを測定する光センサ部と、
前記表示面に表示される画像を処理する画像処理部と、
前記画像処理部により処理された画像の明度を補正する明度補正部と、
前記光センサ部により測定される周囲の明るさに基づいて、光量が決定される第１のモードと、前記光センサ部により測定される周囲の明るさに基づいて、前記第１のモードにおける光量よりも低く抑えられた光量が決定される第２のモードとを選択するモード選択部と、
前記モード選択部において前記第２のモードが選択されている場合には、前記光センサ部により測定される周囲の明るさに基づいて、前記第２のモードで決定された光量で照射するように前記照射部を制御すると共に、画像の明度の度合いを光量に応じて補正するように前記明度補正部を制御する制御部とを有する携帯電子機器。
【請求項２】
前記第１のモード及び前記第２のモードにおいて決定される光量を段階的に変更可能な光量変更部とを有し、
前記光量変更部は、前記第２のモードにおいては、前記第１のモードよりも細かく光量が変更可能となる請求項１記載の携帯電子機器。
【請求項３】
起動されるアプリケーションの属性を検知するアプリケーション検知部とを有し、
前記制御部は、前記第２のモードが選択されている場合において、前記アプリケーション検知部により所定のアプリケーションの実行が検知されたときには、第２のモードで決定された光量よりも低く抑えられた光量が決定され、前記光センサ部により測定される周囲の明るさに基づいて、前記第２のモードで決定された光量よりも低く抑えられた光量で照射するように前記照射部を制御すると共に、画像の明度の度合いを光量に応じて補正するように前記明度補正部を制御する請求項２記載の携帯電子機器。
【請求項４】
前記光量変更部は、前記アプリケーション検知部により、検出されたアプリケーションの種類に応じて光量を変更可能である請求項３記載の携帯電子機器。
【請求項５】
前記明度補正部は、画像を構成する各画素の明度を測定し、所定の明度よりも低い明度の画素を選択し、選択された画素の明度の度合いを光量に応じて補正する請求項１から４記載の携帯電子機器。
【発明の詳細な説明】
【技術分野】
【０００１】
本発明は、周囲の明るさに応じて照射部の光量を調節する携帯電子機器に関する。
【背景技術】
【０００２】
従来より、光センサ部により測定された周囲の明るさに基づいて、照射部の光量を調節する機能を備えた携帯電子機器がある（特許文献１）。特許文献１に開示される携帯電子機器は、例えば、周囲が明るい場合には、画面が視認できる程度に照射部の光量を上げるように調整される。また、周囲が暗い場合には、画面が明る過ぎて見づらくならない程度に照射部の光量を下げるように調節される。
【先行技術文献】
【特許文献】
【０００３】
【特許文献１】特開２００４−３５７１９３号公報
【発明の概要】
【発明が解決しようとする課題】
【０００４】
この特許文献１に開示される携帯電子機器は、グレア（眩輝）を感じやすい者（例えば、高齢者）に対しての配慮はされていないために、単純に周囲の明るさに合わせて照射部の光量が調節され、これらの者にとっては、眩しく、見えづらい表示を行う可能性がある。
【０００５】
携帯電子機器においては、上述した特許文献１に開示される携帯電子機器に対して、眩しさを軽減するために、照射部の光量を通常の照射量よりも低くして、画面を暗くする構成が考えられる。
【０００６】
しかし、このように携帯電子機器を構成した場合には、眩しさを軽減できる一方、画面を暗くすることで、画面の視認性を損なうという問題が生じることとなる。
【０００７】
本発明は、上述した問題に鑑みてなされたものであって、視認性を損なうことなく、眩しさを低減した画面表示を行うことができる携帯電子機器を提供することを目的とする。
【課題を解決するための手段】
【０００８】
本発明に係る携帯電子機器は、表示面を有する透過型の表示部と、前記表示面を直接的又は間接的に背面から所定の光量で照射する照射部と、周囲の明るさを測定する光センサ部と、前記表示面に表示される画像を処理する画像処理部と、前記画像処理部により処理された画像の明度を補正する明度補正部と、前記光センサ部により測定される周囲の明るさに基づいて、光量が決定される第１のモードと、前記光センサ部により測定される周囲の明るさに基づいて、前記第１のモードにおける光量よりも低く抑えられた光量が決定される第２のモードとを選択するモード選択部と、前記モード選択部において前記第２のモードが選択されている場合には、前記光センサ部により測定される周囲の明るさに基づいて、前記第２のモードで決定された光量で照射するように前記照射部を制御すると共に、画像の明度の度合いを光量に応じて補正するように前記明度補正部を制御する制御部とを有する。
【０００９】
また、携帯電子機器は、前記第１のモード及び前記第２のモードにおいて決定される光量を段階的に変更可能な光量変更部とを有し、前記光量変更部は、前記第２のモードにおいては、前記第１のモードよりも細かく光量が変更可能となることが好ましい。
【００１０】
また、携帯電子機器は、起動されるアプリケーションの属性を検知するアプリケーション検知部とを有し、前記制御部は、前記第２のモードが選択されている場合において、前記アプリケーション検知部により所定のアプリケーションの実行が検知されたときには、前記第２のモードで決定された光量よりも低く抑えられた光量が決定され、前記光センサ部により測定される周囲の明るさに基づいて、前記第２のモードで決定された光量よりも低く抑えられた光量で照射するように前記照射部を制御すると共に、画像の明度の度合いを光量に応じて補正するように前記明度補正部を制御する請求項２記載の携帯電子機器。
ことが好ましい。
【００１１】
また、光量変更部は、前記アプリケーション検知部により、検出されたアプリケーションの種類に応じて光量を変更可能であることが好ましい。
【００１２】
また、明度補正部は、画像を構成する各画素の明度を測定し、所定の明度よりも低い明度の画素を選択し選択された画素の明度の度合いを光量に応じて補正することが好ましい。
【発明の効果】
【００１３】
本発明によれば、視認性を損なうことなく、眩しさを低減した画面表示を行うことができる携帯電子機器を提供することができる。
【図面の簡単な説明】
【００１４】
【図１】本発明の一実施形態の携帯電話機を開状態で示す斜視図である。
【図２】ディスプレイを構成する液晶モジュールを説明する図である。
【図３】本実施形態の携帯電話機の機能を説明する機能ブロック図である。
【図４】「通常のモード」及び「優しい光量モード」における周囲の明るさとバックライトの光量との関係を示す図である。
【図５】「優しい光量モード」における光量と明度の補正との関係を示す図である。
【図６】本実施形態の携帯電話機の動作を示すフロー図である。
【図７】「優しい光量モード」選択時のディスプレイの表示を説明する図である。
【発明を実施するための形態】
【００１５】
以下、本発明の実施形態について、図面を参照しながら説明する。まず、本発明の携帯電子機器の一実施形態である携帯電話機の基本構造について、図１〜図２を参照しながら説明する。図１は、本発明の一実施形態の携帯電話機１を開状態で示す斜視図である。図２は、ディスプレイ３４を構成する液晶モジュール３５を説明する図である。本実施形態における携帯電話機１は、液晶ディスプレイ（ＬＣＤ、Ｌｉｑｕｉｄ  Ｃｒｙｓｔａｌ  Ｄｉｓｐｌａｙ）方式により画面表示を行うように構成される。また、本実施形態における携帯電話機１は、液晶ディスプレイの中でも、画面の背面から光を照射して表示を行う、いわゆる、透過型の液晶ディスプレイとして構成される。
【００１６】
図１に示すように、本実施形態の携帯電話機１は、折り畳み型の携帯電話機１であって、略直方体形状の操作部側筐体２と、略直方体形状の表示部側筐体３と、操作部側筐体２と表示部側筐体３とを連結する連結部４と、を備える。なお、本実施形態の携帯電話機１では、折り畳み型の携帯電話機１として構成したが、これに限られず、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）等であっても良い。
【００１７】
操作部側筐体２の上端部と表示部側筐体３の下端部とは、連結部４を介して開閉可能に連結される。つまり、連結部４は、表示部側筐体３と操作部側筐体２とを開閉軸を中心に開閉可能に連結する。携帯電話機１は、連結部４を介して連結された操作部側筐体２と表示部側筐体３とが相対的に回転（回動）されることにより、操作部側筐体２と表示部側筐体３とが互いに開いた状態（開状態）や、操作部側筐体２と表示部側筐体３とが折り畳まれた状態（閉状態）に変形される。
【００１８】
操作部側筐体２は、操作部１１と、音声入力部１２とを有する。操作部１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５とから構成される。
【００１９】
操作部１１を構成する各キーそれぞれには、操作部側筐体２と表示部側筐体３との開閉状態や、起動されているアプリケーションの種類に応じて所定の機能が割り当てられる。携帯電話機１において、操作部１１を構成する各キーがユーザにより押圧されることで、各キーに割り当てられている機能に応じた動作が実行される。
【００２０】
音声入力部１２は、携帯電話機１のユーザが通話時に発した音声が入力される。音声入力部１２は、操作部側筐体２の長手方向における連結部４とは反対側の端部（下端部）の近傍に配置される。
【００２１】
表示部側筐体３は、音声出力部３１と、表示部側筐体３の開口３ａから露出して画像を表示する画面（表示面）を形成するディスプレイ３４（表示部）とを有する。音声出力部３１は、通話の相手側における音声を出力する。音声出力部３１は、表示部側筐体３の長手方向における連結部４とは反対の端部側に配置される。
【００２２】
ディスプレイ３４は、液晶モジュール３５と、駆動回路３６とを有する。液晶モジュール３５は、表示部側筐体３に形成される表示面を介して、画像を表示する機能を発揮するように構成される。液晶モジュール３５は、表示部側筐体３の内部に搭載される。液晶モジュール３５は、本実施形態においては、図２に示すように、バックライト３５ａと、導光板３５ｂと、第１の偏光板３５ｃと、アレイ基板３５ｄと、液晶パネル３５ｅと、カラーフィルタ３５ｆ、第２の偏光板３５ｇとを有する。
【００２３】
バックライト３５ａは、導光板３５ｂを介して、画面から所定の光量を照射可能に構成される。
【００２４】
導光板３５ｂは、バックライト３５ａの側方に配置され、バックライト３５ａから供給される光を画面の全体に均一に分散可能に構成される。
【００２５】
第１の偏光板３５ｃは、導光板３５ｂの上層に配置され、下層から照射される光のみを通過させ、他の方向からの光を反射等して遮蔽可能に構成される。
【００２６】
アレイ基板３５ｄは、第１の偏光板３５ｃの上層に配置され、薄膜トランジスタ（ＴＦＴ、Ｔｈｉｎ  Ｆｉｌｍ  Ｔｒａｎｓｉｓｔｏｒ）を搭載して、画面に表示される画像の画素を任意に発色可能に構成される。また、アレイ基板３５ｄは、駆動回路３６に接続されて、発色等が制御される。
【００２７】
液晶パネル３５ｅは、ガラス基板材の中に液晶材を封入して形成され、アレイ基板３５ｄの上層に配置される。液晶パネル３５ｅは、液晶材に電圧を加えることにより通過する光を偏向可能に構成される。
【００２８】
カラーフィルタ３５ｆは、液晶パネル３５ｅの上層に配置され、可視光のうち特定の波長域を通過させ特定の波長域を阻止可能に構成される。
【００２９】
第２の偏光板３５ｇは、カラーフィルタ３５ｆの上層に配置され、第２の偏光板３５ｇと同様に、下層から照射される光のみを通過させ、他の方向からの光を反射等して遮蔽可能に構成される。
【００３０】
駆動回路３６は、液晶モジュール３５のアレイ基板３５ｄ等に接続され、主にアレイ基板３５ｄにおける発色等の画面表示における制御を行う。また、駆動回路３６は、後述する記憶部４１に記憶される画像をアレイ基板３５ｄに再現可能に構成される。なお、本実施形態では、エッジライト方式によりディスプレイ３４を構成したが、直下型方式でも良い。
【００３１】
このように構成される携帯電話機１は、周囲の明るさに合わせて、視認性を損なうことなく、眩しくない画面を表示する機能を有する。
【００３２】
ここで、上述したような機能を発揮するための構成について、図３を用いて説明する。図３は、本実施形態の携帯電話機１の機能を説明する機能ブロック図である。
【００３３】
携帯電話機１は、図３に示すように、光測センサ３７（光センサ部）と、画像処理部３８と、明度補正部３９と、モード選択部４０と、記憶部４１と、制御部４２とを有する。
【００３４】
光測センサ３７は、図１に示すように、開き状態において、ディスプレイ３４の近傍（本実施形態においては、ディスプレイ３４の左隅付近）に設けられる。また、光測センサ３７は、周囲の明るさを外光量として測定する。
【００３５】
画像処理部３８は、画面に表示される画像を処理する。明度補正部３９は、画像処理部３８により処理された画像の明度を補正する。
【００３６】
モード選択部４０は、「通常のモード（第１のモード）」及び「優しい光量モード（第２のモード）」を選択する。「通常のモード」及び「優しい光量モード」の設定は、例えば、光測センサ３７の測定値に対応したバックライトの電流値（光量）がテーブルとして、記憶部４１に記憶される。「通常のモード」とは、光測センサ３７により測定される周囲の明るさ（外光量）に基づいて、光量が決定されているモードである。「優しい光量モード」とは、光測センサ３７により測定される周囲の明るさ（外光量）に基づいて、「通常のモード」における光量よりも低く抑えられた光量が決定されているモードである。
【００３７】
「通常のモード」及び「優しい光量モード」においての周囲の明るさと光量との関係について、図４を参照しながら説明する。図４は、「通常のモード」及び「優しい光量モード」における周囲の明るさとバックライト３５ａの光量との関係を示す図である。図４中においてＬ１は「通常のモード」でのバックライト３５ａの電流値であり、Ｌ２は「優しい光量モード」でのバックライト３５ａの電流値である。
【００３８】
バックライト３５ａにおける光量を決定する電流値は、図４に示すように、光測センサ３７により測定された測定値に基づいて、決定されている。光測センサ３７により測定された外光量となる測定値は、測定可能範囲を例えば１６分割した数値に置き換えられて、バックライト３５ａの電流値に対応付けられる。
【００３９】
「通常のモード」は、例えば、所定の明るさの条件下における人の視覚特性と電力消費を考慮して、バックライト３５ａの光量となる電流値が決定される。また、バックライト３５ａの電流値は、周囲が明るい場合においては、周囲の明るさと共に変化させる（本実施形態において、光測センサ３７の測定値が１５付近〜１２付近では、電流値は約２０〜約７ｍＡとなる。）。また、周囲が薄暗くらい場合においては、所定の光量を維持しつつ、その後明るい場合に比べて緩やかに変化する（本実施形態において、光測センサ３７の測定値が１２付近〜３付近では、電流値は約７〜約３ｍＡとなる）。また、周囲が暗い場合には、バックライト３５ａの照射がないと画面を見ることができないために、最低限の電流値を維持する（本実施形態において、光測センサ３７の測定値が３付近〜１付近では、電流値は約３ｍＡとなる。）。
【００４０】
また、「通常のモード」及び「優しい光量モード」の光量と画像の明度の補正との関係については、図５を参照して説明する。図５は、「優しい光量モード」における光量と明度の補正との関係を示す図である。図５中においてＬ３は「優しい光量モード」における画像の明度である。
なお、本実施形態において、明度は、１００％において、白色となり、０％においては、黒色となるように設定される。また、通常の表示、すなわち、明度を明度補正部３９により補正しない状態においては、明度は５０％に設定されている。
【００４１】
「通常のモード」においては、周囲の明るさに応じて電流値が変化しても、明度の補正は行われない。すなわち、バックライト３５ａの電流値の値がいくつであっても、明度５０％として設定される。
【００４２】
一方、「優しい光量モード」においては、周囲の明るさに応じて電流値が変化した場合に、電流値の変化と共に、明度の補正を行う。つまり、「優しい光量モード」においては、電流値を低く抑えれば抑えるほど、明度の割合を高めるように明度が決定されている。
【００４３】
記憶部４１は、「通常のモード」及び「優しい光量モード」において決定される光量や画像の明度の補正具合を光測センサの測定値と一対一対応するテーブルとして記憶する。また、記憶部４１は、画面に表示する画像を記憶するためのフレームメモリの機能も有する。
【００４４】
制御部４２は、モード選択部４０において「通常のモード」が選択されている場合には、光測センサ３７により測定される周囲の明るさに基づいて、「通常のモード」で決定された光量で照射するようにバックライト３５ａを制御する。
【００４５】
また、制御部４２は、モード選択部４０において「優しい光量モード」が選択されている場合には、光測センサ３７により測定される周囲の明るさに基づいて、「優しい光量モード」で決定された光量で照射するようにバックライト３５ａを制御する。そして、制御部４２は、画像の明度の度合いを光量に応じて補正するように明度補正部３９を制御する。
【００４６】
このように構成される携帯電話機１は、「優しい光量モード」が選択されている場合には、光測センサ３７により測定される周囲の明るさに基づいて、「優しい光量モード」で決定された光量で照射するようにバックライト３５ａを制御する。この際、携帯電話機１は、画像の明度の度合いを光量に応じて補正するように明度補正部３９を制御する。
【００４７】
したがって、携帯電話機１は、「優しい光量モード」を選択した場合において、光測センサ３７により測定される周囲の明るさに対応した光量が、「通常のモード」で決定される光量よりも低く抑えられるために、光量による画面の輝度を低くすることができる。その結果、携帯電話機１において、画面の眩しさを低減することができる。この際、携帯電話機１は、光量を低く抑えると共に、画像の明度を高く補正するために、光量を低く抑えたことに起因する画像の見えづらさを改善することができる。また、携帯電話機１は、画像の補正に関して、色の属性のうち明度のみを補正しているために、少ない処理負担で画像の見えづらさを改善することができる。
また、携帯電話機１は、「優しい光量モード」が選択されている場合において、「通常のモード」よりも光量を低く抑えているために、バックライト３５ａにおける電力消費を低くすることができる。
【００４８】
また、携帯電話機１は、さらに、光量変更部４４を有する。光量変更部４４は、「通常のモード」及び「優しい光量モード」において決定される光量を段階的に変更可能であると共に、「優しい光量モード」においては、「通常のモード」よりも細かく光量が変更可能となるように構成される。
【００４９】
したがって、携帯電話機１においては、「優しい光量モード」の選択時に、ユーザにより「通常のモード」よりも細かく光量の変更を行うことができるために、個々のユーザの眩しさ等に対する視覚特性を考慮して、ユーザ自身で最適な画面表示を選択することができる。
【００５０】
また、携帯電話機１は、さらに、アプリケーション検知部４３を有する。アプリケーション検知部４３は、起動されるアプリケーションの属性を検知する。また、制御部４２は、さらに「優しい光量モード」が選択されている場合において、アプリケーション検知部４３により所定のアプリケーションの実行が検知されたときには、「優しい光量モード」で決定された光量よりも低く抑えられた光量が決定される。
【００５１】
また、制御部４２は、さらに、光測センサ３７により測定される周囲の明るさに基づいて、「優しい光量モード」で決定された光量よりも低く抑えられた光量で照射するようにバックライト３５ａを制御すると共に、画像の明度の度合いを光量に応じて補正するように明度補正部３９を制御する。
【００５２】
このように構成される携帯電話機１は、「優しい光量モード」が選択されている場合において、起動するアプリケーションの属性を検知し、起動するアプリケーションに基づいて、「優しい光量モード」で決定される光量よりもさらに光量を低く抑える。この構成は、携帯電話機１において、例えば、「携帯電話・移動体端末向けの１セグメント部分受信サービス」放送、いわゆる、ワンセグ放送の視聴等の長時間の使用が見込まれるアプリケーションに適用することができる。このようなアプリケーションに適用した場合には、さらに画像の輝度が低くなるために、ユーザの目に負担のかからない、すなわち、ユーザの目が疲れない画像を表示することができる。また、携帯電話機１は、長時間の使用が見込まれるアプリケーションに適用するために、大幅な省電力化を図ることができる。
【００５３】
本実施形態において、携帯電話機１は、「通常のモード」及び「優しい光量モード」において決定される光量は上限値として設定される。つまり、光量変更部４４による光量の変更は、上限から低く抑えた光量に下げることにより行われる。
【００５４】
また、光量変更部４４は、さらに、アプリケーション検知部４３により、特定のアプリケーションが検知された場合には、アプリケーションに基づいた光量が変更可能となる。したがって、携帯電話機１においては、起動するアプリケーションに応じて、ユーザにより光量の変更を行うことができるために、個々のユーザの目の疲れやすさ等を考慮して、ユーザ自身で最適な画面表示を選択することができる。
【００５５】
明度補正部３９は、さらに、画像を構成する各画素の明度を測定し、所定の明度よりも低い明度の画素を選択し、選択された画素の明度の度合いを光量に応じて補正する。したがって、携帯電話機１は、表示される画像中の全画素に対して、画像補正を行わずに、所定の明度以下の画素に対して画像補正を行うために、少ない処理負担で、見えづらさを改善することができる。
【００５６】
次に、携帯電話機１の動作について、図６を参照しながら説明する。図６は、本発明に係る携帯電話機の動作を示すフロー図である。
図６に示すように、ステップＳ１において、携帯電話機１は、ユーザの操作部１１への操作に基づいて、モード選択部４０によりモードの選択を行う。「優しい光量モード」が選択された場合（Ｙ）には、ステップＳ２に進む。「通常のモード」が選択された場合（Ｎ）には、ステップＳ３へ進む。
【００５７】
ステップＳ２において、携帯電話機１は、図７に示すように、利用中の機能を判別し、光量の上限を設定する。図７は、「優しい光量モード」選択時のディスプレイの表示を説明する図である。
【００５８】
つまり、本ステップにおいて、携帯電話機１は、通常の操作（アプリケーションが起動していない状態）が行われている場合や、メール等の長時間の連続使用が生じにくいアプリケーションが起動している場合には、以下の処理を行うように設定される。まず、携帯電話機１は、制御部４２により、光測センサ３７により測定された外光量に基づいて、図４に示すように、バックライト３５ａの光量（電流値）を制御するように設定される。次に、携帯電話機１は、制御部４２により、図５に示すように、バックライト３５ａの電流値に基づいて、明度補正部３９による画像の明度補正を制御するように設定される。
【００５９】
一方、ワンセグ放送の視聴等の長時間連続使用の生じやすいアプリケーションが起動している場合には、アプリケーションに基づいて決定される「優しい光量モード」で決定される光量よりも低く抑えられた光量で、この光量に基づいた画像の明度補正により画面表示を行うように設定される。この際、特定のアプリケーションの起動は、アプリケーション検知部４３により、起動するアプリケーションの属性を検知することにより行われる。
【００６０】
また、この際、携帯電話機１においては、バックライト３５ａの光量の上限値は、アプリケーションの種類ごとに異なる値に設定されているため、ユーザの使用形態に応じて、光量変更部４４により光量を低く変更することができる。つまり、携帯電話機１において、アプリケーションで決定される上限となる光量よりも低く抑えた光量をアプリケーションごとに段階的に選択することができる。また、携帯電話機１は、起動されるアプリケーションに応じて、光量の段階が細かく設定される。本実施形態においては、図７に示すように、長時間使用するワンセグ放送を視聴するアプリケーションの光量段階が細かく設定される。例えば、Ｗｅｂブラウザのアプリケーションの場合には、メールアプリケーションよりは光量を低く、ワンセグアプリケーションよりは光量を高くしておけば、メールよりは連続使用され、テレビほど連続使用されにくいというユーザの使用形態に沿い、目に優しい制御とすることができる。
【００６１】
ステップＳ３において、ユーザによる操作により、「通常のモード」が設定される。つまり、「通常のモード」が設定される携帯電話機１においては、制御部４２により、光測センサ３７により測定された外光量に基づいて、図４に示すように、バックライト３５ａの電流値を制御するように設定され、光測センサ３７による外光量に基づいて、画面表示の運用がされる。
【００６２】
ステップＳ４において、「優しい光量モード」が設定される携帯電話機１は、外光量を測定する。つまり、携帯電話機１は、光測センサ３７により周囲の明るさを測定し、ステップＳ５に進む。つまり、携帯電話機１において、制御部４２は、光測センサ３７により測定された外光量に基づいて、図４に示すように、バックライト３５ａの光量を制御する。
【００６３】
ステップＳ５において、携帯電話機１は、周囲明るさ（外光量）を光測センサにより測定し、外光量に変更がない場合（Ｎ）には、ステップＳ６に進み、外光量に変更があった場合（Ｙ）には、ステップＳ７に進む。
【００６４】
ステップＳ６において、携帯電話機１は、画面に表示される画像に変更がある場合（Ｙ）には、ステップＳ８に進み、画面に表示される画像に変更がない場合（Ｎ）には、ステップＳ４に進む。
【００６５】
ステップＳ７において、携帯電話機１は、光測センサにより測定された外光量に基づいて、バックライト３５ａの光量を調節し、ステップＳ８に進む。したがって、携帯電話機１は、バックライト３５ａの光量が「通常のモード」よりも抑えられた「優しい光量モード」下において、外光量に応じて、最適なバックライト３５ａの光量が制御される。
【００６６】
ステップＳ８において、携帯電話機１は、画像に明度を高くする色調補正をかけて、ステップＳ４に進む。つまり、携帯電話機１は、制御部４２により、バックライト３５ａの光量（電流値）に基づいて、明度補正部３９により画像の明度を高く補正するように制御する。この際、携帯電話機１は、図７に示すように、モード等が考慮されずに、画像処理部３８により生成される表示される画像をモード及びアプリケーションが考慮されて決定された光量に基づいて、明度を高く補正して生成された画像を画面の表示に供する処理を行う。また、明度補正部３９は、図７に示すように、明度が一定の値を下回っている画素に対して、補正を行う。
【００６７】
なお、携帯電話機１は、画面に表示される画像（表示画像）に変更がある場合に、変更後における明度の補正を行った画像を直接表示するように構成したがこれに限られない。携帯電話機１は、ユーザに対して、表示画像が切り替わったことによる不快感や見えづらさを軽減するように構成できれば良い。携帯電話機１は、表示画像に変更がある場合に、例えば、現在設定される光量よりも低く抑えた光量で、一旦表示をして、徐々に元の光量に変更するように構成しても良い。また、携帯電話機１は、例えば、画像の明度の補正を表示画像の変更後の補正具合よりも和らげた低い割合で行い、徐々に変更後の補正具合に変更するように構成しても良い。また、携帯電話機１は、表示画像の変更時に上述した光量と画像の明度補正の段階的な変更の例を示したがこれに限られず、これらを複合的に組み合わせて表示画像の切り替えを行うように構成しても良い。
【００６８】
したがって、携帯電話機１は、視認性を損なうことなく、眩しさを低減した画面表示を行うことができる。
【００６９】
以上、本発明に係る携帯電話機１の好適な実施形態について説明したが、本発明に係る携帯電話機１は、上述した実施形態に限定されることなく種々の形態で実施することができる。
【００７０】
なお、本実施形態において、携帯電話機１は、画像の明度を補正するように構成したが、これに限られない。携帯電話機１においては、例えば、バックライト３５ａの光量を低く抑えたことによる画面の見えづらさを補完できればよく、画像の色相や色彩等の他の色の属性を補正したり、画像の色相、色彩又は明度を組み合わせて補正したりするように構成しても良い。
【００７１】
また、本実施形態において、携帯電話機１は、ユーザの操作により、モード選択を行っていたが、これに限られない。携帯電話機１は、例えば、アドレス帳等に登録されるプロフィールやユーザの操作の特徴等からユーザの視覚特性を判定して、モード選択を自動的に選択するように構成しても良い。
【００７２】
また、本実施形態において、携帯電話機１は、各モードを記憶部４１に光測センサ３７により測定した値に一対一対応するように構成した１つのテーブルにより画面表示の運用を行うように構成したが、これに限られない。光測センサ３７による測定結果に基づいて、その都度、光量及び画像の補正具合を演算により算出し、この演算結果に基づいて、画面表示の運用を行うように構成しても良い。
【００７３】
また、本実施形態において、携帯電話機１は、「通常のモード」及び「優しい光量モード」において決定される光量を上限として設定し、光量変更部４４による光量の変更は、上限から低い光量に下げるように構成したが、これに限られない。携帯電話機１において、光量変更部４４による光量の変更は、「通常のモード」及び「優しい光量モード」において決定される光量を基準として、増減可能に構成しても良い。また、携帯電話機１は、光量の変更をユーザの操作により行っていたが、これに限られず、モード選択と同様に、視覚特性を判定して、自動的に変更させるように構成しても良い。
【００７４】
また、本実施形態において携帯電話機１は、より好ましくは、画像変更によるユーザの目の負担を軽減するために、画像の切り替えにおいて、切り替え後の画像表示時にモード等で決定される光量で直接表示せずに、徐々に目的とする光量に移行するように構成しても良い。この場合、携帯電話機１は、上述した光量変更に代えて、又は、光量変更に加えて、画像の補正を行い、徐々に画像表示を行うように構成しても良い。
【００７５】
また、本実施形態において、本発明を携帯電子機器の一例である携帯電話機に適用したが、これに限られない。例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、ディスプレイ装置等に適用しても良い。
【符号の説明】
【００７６】
１      携帯電話機（携帯電子機器）
３４    ディスプレイ（表示部）
３５ｂ  バックライト（照射部）
３７    光測センサ（光センサ部）
３８    画像処理部
３９    明度補正部
４０    モード選択部
４２    制御部
４３    アプリケーション検知部
４４    光量変更部
【図１】
2011028183.tif 000003
【図２】
2011028183.tif 000004
【図３】
2011028183.tif 000005
【図４】
2011028183.tif 000006
【図５】
2011028183.tif 000007
【図６】
2011028183.tif 000008
【図７】
2011028183.tif 000009